(57)【特許請求の範囲】
【請求項１】
固定部材に対して格納位置と使用位置との間を移動する移動部材と、
前記移動部材を前記使用位置方向に付勢する付勢部材と、
前記移動部材又は前記固定部材に設けられ、係合部を有する係合部材と、
前記係合部に係合し、前記付勢部材による付勢力に抗して前記移動部材を前記格納位置に係止する係止部材と、
を備えたカメラの移動部材係止装置において、
前記係合部材は、回転又はスライドする調整移動を行うことにより、前記係合部の前記係止部材に対する係止方向の位置が変化するように前記移動部材又は前記固定部材に設けられており、
前記係合部の前記係止部材に対する係止方向の位置が変化する方向は、前記係合部材の回転軸と略一致する方向又はスライドを行う面に対して略垂直な方向であり、
前記係合部は、前記回転軸に略垂直又は前記スライド移動方向に略平行な面であって係止方向の位置が異なる複数の係合部と、前記係止部材に対する係止方向の位置が異なるように形成された斜面との少なくとも一方の形状を有すること
を特徴とするカメラの移動部材係止装置。
【請求項２】
請求項１に記載のカメラの移動部材係止装置において、
所定値以上の力が作用しないと前記係止部材が移動しないように前記係合部材の移動を規制する移動規制部材を備えること、
を特徴とするカメラの移動部材係止装置。
【請求項３】
請求項２に記載のカメラの移動部材係止装置において、
前記移動規制部材は、前記係合部材を前記移動部材又は前記固定部材に対して移動可能に保持すること、
を特徴とするカメラの移動部材係止装置。
【請求項４】
請求項１から請求項３までのいずれか１項に記載のカメラの移動部材係止装置において、
前記移動部材は、閃光を発光して被写体を照明する閃光発光部が設けられ、前記係合部材は、カメラの完成後においても、外部から前記調整移動を行うことができるように、前記移動部材に設けられていること、
を特徴とするカメラの移動部材係止装置。
【発明の詳細な説明】
【０００１】
【発明の属する技術分野】
本発明は、カメラ本体に対して移動可能に取り付けられたストロボユニット等の移動部材を所定の位置に保持するカメラの移動部材係止装置に関するものである。
【０００２】
【従来の技術】
カメラ本体に取り付けられたストロボユニットを非使用状態である格納位置からポップアップさせて使用状態にするための機構としては、例えば特開平１０−３９３７４号公報に記載の機構が知られている。
図５は、従来のストロボユニットのポップアップ機構を示す透視図である。
ストロボケース１０２は、格納状態から使用状態へ回転する方向に付勢ばね１１０により付勢されている。格納状態では、この付勢力に対抗して格納状態を維持するため、係止部材１０５、係合部材１０８を含む係止機構が設けられている。そして、図示していない係止解除機構により係止部材１０５と係合部材１０８との係合を解除することにより、使用状態にストロボをポップアップさせる。
【０００３】
このような従来の機構においては、機構部品の取り付けバラツキや各部品の部品寸法誤差によって、図５に示す格納状態でのストロボケース１０２の先端部とカメラ本体１０１との隙間Ｘが個々のカメラによって異なってしまう。
そこで、上記公報に記載されている従来の機構には、カメラ本体１０１とストロボケース１０２との係合位置を調整する機構が設けられている。
【０００４】
図６は、図５に示すカメラにおける調整機構部の分解斜視図である。回転操作軸１１１には、偏芯カム１１１ｂが設けられており、係合部材１０８およびストロボケース１０２を挟む状態で操作部材１０９にカシメにより結合されている。ストロボケース１０２に対する係合部材１０８の取り付け高さは、回転操作軸１１１、又は、操作部材１０９の回転操作により変化させるようになっている。この従来の調整機構においては、係合部材１０８の調整高さは、係合部材１０８とストロボケース１０２、及び、係合部材１０８と操作部材１０９との接触面の摩擦力によって維持されている。
【０００５】
【発明が解決しようとする課題】
しかし、回転操作軸１１１の回転操作に応じてストロボケース１０２の係合高さを調節する機構では、回転操作軸１１１の回転を防止する機構は設けられていないため、何らかの要因で回転操作軸１１１が回転した場合には、その調整高さは変化し、適正な調整高さが保たれないことになる。
【０００６】
特に、上述の機構では、ストロボケース１０２の開閉方向と、調整機構における係合部材１０８の移動方向とが同じであるため、ストロボユニットの開閉時に加えられる開閉方向への衝撃により係合部材１０８にもその移動方向に負荷が加わる。
また、カメラの使用者が誤ってストロボカバー１０４ごとストロボケース２を格納状態から使用状態の方向（開方向）に引き上げてしまう場合にも、係合部材１０８に対して、その移動方向に負荷が加わる。
【０００７】
このようにして、係合部材１０８の移動方向に負荷が加えられると、その負荷が係合部材１０８とストロボケース１０２、及び、係合部材１０８と操作部材１０９との接触面の摩擦力以上になる場合には、係合部材１０８の調整位置が変化してしまい、隙間が大きくなる等の問題があった。
【０００８】
この問題を解決するためには、例えば、外力による回転操作軸１１１の回転を防ぐ回転防止機構を設けることが望ましいが、近年のカメラ本体の小型化によりストロボケースも小型化されているため、省スペース化に反するとともに、機構を複雑化することによる組立作業の複雑化、更には、コストアップにも繋がってしまうという問題があった。
【０００９】
本発明の課題は、係合位置の調整後に外力により調整位置が変化することなく、かつ構成部品点数の少ないカメラの移動部材係止装置を提供することである。
【００１０】
【課題を解決するための手段】
本発明は、以下のような解決手段により、前記課題を解決する。なお、理解を容易にするために、本発明の実施形態に対応する符号を付して説明するが、これに限定されるものではない。すなわち、請求項１の発明は、固定部材（１）に対して格納位置と使用位置との間を移動する移動部材（２）と、前記移動部材を前記使用位置方向に付勢する付勢部材（１０）と、前記移動部材又は前記固定部材に設けられ、係合部（８ａ）を有する係合部材（８）と、前記係合部に係合し、前記付勢部材による付勢力に抗して前記移動部材を前記格納位置に係止する係止部材（５）と、を備えたカメラの移動部材係止装置において、前記係合部材は、回転又はスライドする調整移動を行うことにより、前記係合部の前記係止部材に対する係止方向の位置が変化するように前記移動部材又は前記固定部材に設けられており、前記係合部の前記係止部材に対する係止方向の位置が変化する方向は、前記係合部材の回転軸と略一致する方向又はスライドを行う面に対して略垂直な方向であり、前記係合部（８ａ）は、前記回転軸に略垂直又は前記スライド移動方向に略平行な面であって係止方向の位置が異なる複数の係合部と、前記係止部材に対する係止方向の位置が異なるように形成された斜面との少なくとも一方の形状を有することを特徴とするカメラの移動部材係止装置である。
【００１３】
請求項２の発明は、所定値以上の力が作用しないと前記係止部材（８）が移動しないように前記係合部材の移動を規制する移動規制部材（９）を備えることを特徴とするカメラの移動部材係止装置である。
【００１４】
請求項３の発明は、前記移動規制部材は、前記係合部材を前記移動部材又は前記固定部材に対して移動可能に保持することを特徴とするカメラの移動部材係止装置である。
【００１５】
請求項４の発明は、前記移動部材（２）は、閃光を発光して被写体を照明する閃光発光部（３）が設けられ、前記係合部材（５）は、カメラの完成後においても、外部から前記調整移動を行うことができるように、前記移動部材に設けられていることを特徴とするカメラの移動部材係止装置である。
【００１６】
【発明の実施の形態】
以下、図面等を参照しながら、本発明の実施の形態について、更に詳しく説明する。
（第１実施形態）
図１は、本発明によるカメラの移動部材係止装置の実施形態を説明する透視図である。
図２は、本実施形態におけるカメラの移動部材係止装置の要部の分解斜視図である。
本実施形態におけるカメラの移動部材係止装置は、カメラ本体１，ストロボケース２，発光部３，ストロボカバー４，係止部材５，リンク部材６，アクチュエータ７，係合部材８，クリックばね９，付勢ばね１０等を備えている。
【００１７】
カメラ本体１は、いわゆる銀塩カメラ又はいわゆるデジタルスチルカメラ等の撮影装置であり、本実施形態では、いわゆる一眼レフタイプのファインダを使用したカメラの例を示している。
【００１８】
ストロボケース２は、発光部３を格納位置から使用位置へとポップアップ又はその逆の動作を行うストロボユニットのポップアップ機構のベースとなる移動部材であり、軸穴円筒部２ａがカメラ本体１に設けられた軸部１ａと嵌合し、軸穴円筒部２ａを中心として格納位置と使用位置との間を回転自在となるように保持されている。ストロボケース２は、軸穴円筒部２ａに取り付けられた付勢ばね１０によって使用位置方向に付勢されており、カメラ本体１の溝部１ｂ内を通るストロボケース２のストッパー部２ｅが回転制限部１ｃに当接することにより、回転が規制される。この回転制限部１ｃに当接した位置がストロボ使用位置（使用状態）となる。
【００１９】
発光部３は、放電管３ａ、反射板３ｂ等を備え、閃光を発行するストロボ発光部であり、ストロボケース２に固定されている。
【００２０】
ストロボカバー４は、ストロボケース２に設けられた発光部３，係合部材８，クリックばね９等を覆い隠す外装部品である。
【００２１】
係止部材５は、カメラ本体１に設けられており、ストロボケース２の孔部２ｆを通して係合部材８の係合部８ａに係合し、付勢ばね１０による付勢力に抗してストロボケース２を格納位置に係止する部材である。係止部材５は、回転軸部５ａを中心として回転自在に保持され、リンク部材６を介してアクチュエータ７から駆動力を得て係止解除動作を行う。
【００２２】
リンク部材６は、回転軸部６ａを中心としてカメラ本体１に対して回転自在に保持された部材である。リンク部材６は、付勢ばね６１により図１における反時計方向に付勢されており、係止部材５を図１に示す係止位置に規制している。
【００２３】
アクチュエータ７は、不図示の制御部からの通電によって、可動部７ａが図１に示す状態からアクチュエータ本体側に引き込まれるように動作するソレノイドプランジャであり、係止部材５の係止を解除するときに通電されて動作を行う。
【００２４】
ストロボの格納状態における係止部材５と係合部材８との係合を解除する係止解除動作は、係止部材５、リンク部材６、付勢ばね６１、アクチュエータ７から構成される係止解除機構により行われ、アクチュエータ７を作動させることでリンク部材６を介して係止部材５を回転させ、係止を解除する。
【００２５】
係合部材８は、ストロボケース２に設けた嵌合穴２ｂに回転自在に保持されている部材である。
図３は、係合部材８を示す斜視図である。図３（ａ）は、係止部材５が係合する側から見た図であり、図３（ａ）は、その反対側から見た図である。
係合部材８は、円周上に係合部材８の回転軸に垂直な面であって、階段状に高さの異なる複数の係合部（係合面）８ａと、係合部８ａに対応した溝部８ｂを有している。また、係合部８ａが設けられていない反対側には、工具差込穴８ｃが設けられている。
【００２６】
クリックばね９は、ストロボケース２の固定部２ｃに固定され、係合部材８の回転移動を規制する移動規制部材である。クリックばね９は、Ｖ字形状部９ａが係合部材８の溝部８ｂに落ち込むことで回転を規制する。したがって、所定値以上の力が作用しないと係止部材が移動しないようになっている。
また、クリックばね９は、係合部材８を押えることにより、係合部材８を移動可能に保持する役割も果たしている。
【００２７】
付勢ばね１０は、ストロボケース２を使用位置方向に付勢する付勢部材であり、コイル部が軸穴円筒部２ａに取り付けられ、腕部の一方がストロボケース２のばね掛け部２ｄに掛けられることにより、付勢力をストロボケース２に与えている。
【００２８】
ここで、本実施形態におけるストロボユニットのポップアップ機構に設けられている係合位置調整機構について説明する。
従来技術においても説明したように、このような係止機構においては、係合位置調整機構が必要である。
この調整機構として望まれる点を以下に挙げる。
（１）操作工具を使う等して簡単に調整作業を行うことができる。
（２）ストロボケース２にストロボカバー４が取り付けられた状態でも外部から容易に調整することができる。
（３）ストロボを係止するという本来の機能に付随するものであるため、省スペース、省コストで構成されること。
（４）調整操作部が外観に現れないように構成すること。
（５）調整作業後に外力が作用しても、調整位置が変化しないこと。
本実施形態では、上記（１）〜（４）の要件に加えて、（５）に挙げた要件についても、係合部材８を用いることにより、満足するようになっている。
【００２９】
上記（５）に挙げた要件を満足するためには、係合部材８に設けられた係合部８ａを以下の条件のうち少なくとも１つを満たすとよい。
（ａ）係合部を、係止部材に対する位置が変化するように調整移動可能とし、格納状態において、係合部が係止部材から受ける力によって調整移動の方向に作用する力が略ゼロとなるように形成する。
【００３０】
（ｂ）係合部を、係止部材に対する位置が変化するように調整移動可能とし、調整移動の方向は、格納状態において係合部が係止部材から受ける力の方向に略直交する方向となるように形成する。
【００３１】
（ｃ）係合部を、係止部材に対する位置が変化するように調整移動可能とし、調整移動を行うために作用させる力の方向は、格納状態において係合部が係止部材から受ける力の方向に略直交する方向となるように形成する。
【００３２】
本実施形態では、上記（ａ）の条件を満たすことができるように、係合部８ａを係合部材８の回転軸に略垂直な面として、係止部材５から受ける力の分力が、係合部材８を回転させる方向に作用しないようにしている。また、このように係合部８ａを形成しているので、本実施形態における係合部８ａは、上記（ｂ），（ｃ）の条件も満足している。
【００３３】
また、本実施形態では、係合部８ａに応じて溝部８ｂが設けられており、この溝部８ｂにクリックばね９のＶ字形状部９ａが落ち込むことにより、係合部材８の回転を規制するので、調整位置をより確実に保持することができる。
【００３４】
さらに、係合部材８は、工具差込穴８ｃが設けられており、工具差込穴８ｃは、係合部材８がストロボケース２に保持された状態では、貫通穴部２を通してストロボケース２の外部に出ている。係合部高さを選択（調整）するための係合部材８の回転操作は、ストロボケース２の外部より工具差込穴８ｃに工具を差し込んで行うため、ストロボケース２にストロボカバー４が組み付けられた状態でも容易に操作が可能である。
【００３５】
図４は、本実施形態における調整機構の調整方法を説明する図である。
本実施形態では、工具差込穴８ｃは、六角穴としており、図４に示すように、ストロボ使用状態でもカメラボディとストロボケースとの間に六角レンチ２１を挿入させ、ストロボケース下面から貫通穴部２ｂを通して係合部材８の工具差込穴８ｃに六角レンチ２１を差し込み、調整作業を行えるようにしている。このように、ストロボケース２の下面に調整操作部を設けているため、ストロボ非使用状態では外観部に調整操作部が表れない構成となっている。また、調整機構に関する構成部品は２部品となっており、組立性も良好となっている。
なお、六角レンチ２１により係合部材８に所定以上の力（回転トルク）が与えられれば、クリックばね９による係合部材８の移動規制によらず、係合部材８が回転することができ、クリックばね９が溝部８ｂに嵌る度に（所定間隔毎に）、所定位置で止まり、中途半端な位置で停止することもない。
【００３６】
本実施形態によれば、係合部材８の回転軸に垂直で、調整方向の位置が異なる複数の係合部８ａを階段状に係合部材８に設けているので、係止部材５から係合部材８が受ける力によっては、係合部材８を回転させる力が発生しない。
したがって、ストロボケース２等を格納位置から使用位置方向に強引に引っ張るなどしても、調整位置がずれることがない。
また、クリックばね９により係合部材８の係合部材８の溝部８ｂを押えて、回転を規制するので、継続的な振動が加わるなどしても、係合部材が回転移動することなく、調整位置がずれることがない。
【００３７】
（変形形態）
以上説明した実施形態に限定されることなく、種々の変形や変更が可能であって、それらも本発明の均等の範囲内である。
例えば、本実施形態において、係合部８ａは、係合部材８の回転軸に垂直で、調整方向の位置が異なる複数の平面を階段状に設けている例を示したが、これに限らず、例えば、回転位置に応じて調整方向の位置が徐々に変化するなだらかな斜面としてもよい。この場合には、係止部材から受ける力により、係合部材を回転させる方向成分の力がわずかに発生するが、係合部材とストロボケースとの摩擦により、係合部材が回転しない程度の斜面となっていればよく、また、クリックばね９のような移動規制部材を併せて設けてもよい。
【００３８】
また、本実施形態において、係合部材は、回転移動を行う部材である例を示したが、これに限らず、例えば、スライド移動する部材であってもよいし、ストロボケースにねじ嵌合する部材として、係合部材のねじ込み高さを変更することにより、係止部材に対する係合部の係止方向の位置が異なるようにしてもよい。
【００３９】
さらに、本実施形態において、ストロボユニットのポップアップ機構の部分に本発明を適用した例を示したが、これに限らず、例えば、いわゆるコンパクトカメラにおける沈胴式レンズバリアの係止に用いてもよいし、ポップアップ式の電子ファインダの係止に用いてもよい。
【００４０】
【発明の効果】
以上詳しく説明したように、請求項１の発明によれば、係合部の係止部材に対する係止方向の位置が変化する方向は、係合部材の回転軸と略一致する方向又はスライドを行う面に対して略垂直な方向であるので、係止部材から受ける力により、係合部材を移動させる方向の力が発生しないようにすることができる。また、係合部は、回転軸に略垂直又はスライド移動方向に略平行な面であって係止方向の位置が異なる複数の係合部と、係止部材に対する係止方向の位置が異なるように形成された斜面との少なくとも一方の形状を有するので、係合部を単純な形状とすることができるとともに、係止部材から受ける力により、係合部材が移動することを防止できる。
【００４３】
請求項２の発明によれば、所定値以上の力が作用しないと係止部材が移動しないように係合部材の移動を規制する移動規制部材を備えるので、より確実に、係合部材の移動を防止することができる。
【００４４】
請求項３の発明によれば、移動規制部材は、係合部材を移動部材又は固定部材に対して移動可能に保持するので、部品点数を少なくすることができ、組み立ても容易にすることができる。
【００４５】
請求項４の発明によれば、移動部材は、閃光を発光して被写体を照明する閃光発光部が設けられ、係合部材は、カメラの完成後においても、外部から調整移動を行うことができるように、移動部材に設けられているので、ストロボユニットの格納位置の調整を簡単かつ確実に行えるとともに、使用者が不用意に調整をずらしてしまうこともなく、一度調整を行った状態を保持することができる。
【図面の簡単な説明】
【図１】本発明によるカメラの移動部材係止装置の実施形態を説明する透視図である。
【図２】本実施形態におけるカメラの移動部材係止装置の要部の分解斜視図である。
【図３】係合部材８を示す斜視図である。
【図４】本実施形態における調整機構の調整方法を説明する図である。
【図５】従来のストロボユニットのポップアップ機構を示す透視図である。
【図６】図５に示すカメラにおける調整機構部の分解斜視図である。
【符号の説明】
１  カメラ本体
２  ストロボケース
３  発光部
４  ストロボカバー
５  係止部材
６  リンク部材
７  アクチュエータ
８  係合部材
８ａ  係合部
８ｂ  溝部
８ｃ  工具差込穴
９  クリックばね
１０  付勢ばね
【図１】
0003864777.tif 000002
【図２】
0003864777.tif 000003
【図３】
0003864777.tif 000004
【図４】
0003864777.tif 000005
【図５】
0003864777.tif 000006
【図６】
0003864777.tif 000007